(57)【要約】      （修正有）【課題】掌をマッサージ可能なマッサージ椅子を提供する。【解決手段】掌をマッサージ可能なマッサージ椅子は、支持ユニットと、椅子面と、背もたれと、少なくとも１つの手部マッサージユニットと、を含む。該支持ユニットは、地面上に立ち、２つの手すりを有し、該椅子面が該支持ユニット上に設置され、該背もたれが該椅子面の一側に立ち、該支持ユニットと軸回転可能に接合し、該手部マッサージユニットが該２つの手すりのうちの１つに独立して滑動的に設置される。【選択図】図４
0003175290.tif 000002
【実用新案登録請求の範囲】
【請求項１】
地面上に立ち、２つの手すりを有する支持ユニットと、
該２つの手すりのうちの１つ上に独立して滑動的に設置可能な少なくとも１つの手部マッサージユニットであり、該手部マッサージユニットがマッサージ部及び滑動部を有し、該滑動部は、該手すり上に設置され、該マッサージ部が該滑動部上に設置され、中空殻体、及び該殻体中に分離して設置可能であり、且つ外部と掌の接触面に複数の凸粒を形成する複数のバルーンバッグを有する少なくとも１つの手部マッサージユニットと、
該支持ユニット上に設置される椅子面と、
該椅子面の一側に立ち、該支持ユニットと軸回転可能に接合する背もたれと、
を含む掌をマッサージ可能なマッサージ椅子。
【請求項２】
前記マッサージ部は、更に、該中空殻体中に分離して設置可能なローラ組を有し、該ローラ組は、間隔を置いて設置され、且つ複数の滑動マッサージ粒を有する複数のローラを有する請求項１に記載の掌をマッサージ可能なマッサージ椅子。
【請求項３】
前記バルーンバッグ上に電熱片を更に貼付し、通電時に掌に温熱に接触させることができる請求項２に記載の掌をマッサージ可能なマッサージ椅子。
【請求項４】
前記バルーンバッグは、軟質繊維で覆われ、該繊維は、遠赤外線を放出可能な粉末を有する材質を添加する請求項３に記載の掌をマッサージ可能なマッサージ椅子。
【請求項５】
前記滑動部は、該手すり上に固定設置される軌道と、該軌道と軸回転可能に接合する底盤と、該底盤上に設置される基台と、を有する請求項１に記載の掌をマッサージ可能なマッサージ椅子。
【請求項６】
前記底盤上に該軌道と嵌合する複数の転動部材と、該複数の転動部材に転動動力を提供する電源部材と、該基台上に設置され、該電源部材の起動を制御する制御スイッチと、を有する請求項５に記載の掌をマッサージ可能なマッサージ椅子。
【請求項７】
前記軌道上に間隔を置いて複数の固定孔を設置し、底盤上に該軌道と嵌合する複数の転動部材、及び該基台上に設置され、該固定孔中に制御可能に挿入される干渉部材を有する請求項５に記載の掌をマッサージ可能なマッサージ椅子。
【請求項８】
前記滑動部は、該手すり中に設置される駆動モータと、該駆動モータの連動回転を受けて直線運動を呈する螺子と、該螺子上に設置される基台と、有する請求項１に記載の掌をマッサージ可能なマッサージ椅子。
【請求項９】
前記滑動部中に軌道及び底盤は、あり溝を呈する嵌合設計である請求項１に記載の掌をマッサージ可能なマッサージ椅子。
【考案の詳細な説明】
【技術分野】
【０００１】
本考案は、マッサージ装置に関し、特に、掌をマッサージ可能なマッサージ椅子に関する。
【背景技術】
【０００２】
現代人の生活は、忙しく、仕事のストレスが重く、マッサージ器具の誕生は、即ち、人々の忙しい生活において便利にストレスを解消し、筋骨を活化するためである。長時間座って仕事又は学習する人にとって、マッサージ椅子は、確実に人体に対しマッサージを行い、血液循環を促進することができ、日常の保健の効果を達成する。科学技術の進歩に伴い、現有のマッサージ椅子は、人体の背部及び脚部に対し効率的に快適なマッサージを行うことができるが、市場には、手部のマッサージ機能を有する機種が出現しているので、業者は、以下の腕部マッサージ機能を有するマッサージ椅子を開発している。
【０００３】
図１を参照し、それは、台湾第I278310号「椅子式マッサージ機」の考案特許であり、それは、椅子１を開示し、該椅子１の主体は、背もたれ１１、座席面１２、手すり１３及び脚支持台１５から構成される。手すり１３の上方には、間隔を置いて手すり13上面と相対するマッサージ壁１３１を設け、手又は腕部は、手すり１３上部及びマッサージ壁１３１底面の空間に安置することができる。
【０００４】
該椅子式マッサージ機において、マッサージ壁１３１は、該手すり１３上方に固定設置され、手すり１３上面は、エアバッグ１３２を設け、且つマッサージ壁１３１の底面は、２箇所のエアバッグ１３２を設ける。該複数のエアバッグ１３２は、膨張、収縮することができる。使用者が椅子１の底面１２上に座る時、手又は腕部を手すり１３の上面及びマッサージ壁１３１の間に安置する必要があり、該複数のエアバッグ１３２を膨張、収縮させ、人の腕部に対し、マッサージを行うことができる。
【０００５】
図２、図３を参考にし、台湾第M394742号の実用新案は、もう1種の「マッサージ椅子」を開示し、該マッサージ椅子２は、支持構造２１、椅子面２２、背もたれ２３、手部マッサージ器２４及び係止器２５を含む。該マッサージ椅子２の椅子面２２は、人体臀部に座らせ、且つ支持構造２１上に位置させ、該背もたれ２３は、人体背部を寄りかからせ、且つ椅子面２０の一側に立たせ、該支持構造２１を軸回転接合する。該手部マッサージ器２３は、椅子面２２に隣接して設置され、人体の手部を安置させる。該係止器２５は、背もたれ２３に連接し、手部マッサージ器２４を係止することに用い、該係止器２５は、輪状を呈し、該背もたれ２３の手部マッサージ器２４に隣接する側面に位置し、係止器２５は、転動方式で手部マッサージ器２４と係合する。これに基づき、使用者は、身体を移動させる必要がなく、背部は、背もたれ２３及び手部に沿って手部マッサージ器２４が同期移動を行い、腕部及び背部にマッサージの享受を持続させる。
【０００６】
上記説明から分かるように、考案第I278310号「椅子式マッサージ機」又は新型第M394742号「マッサージ椅子」は、何れも現有のマッサージ椅子に手部マッサージの機構及び機能を提供する。掌、手指部位は、人体の末梢神経部位に属し、末梢神経に対するマッサージは、通常、比較的良好なリラックス、血行促進の効果を与えることができる。しかしながら、上記二種のマッサージ機構は、専門的に掌、手指部位に対しマッサージを行う効果を有さず、全面的に快適なマッサージを提供することが困難である。
【０００７】
更に、新型第M394742号「マッサージ椅子」は、背もたれ２３及び手部マッサージ器２４の同期起動の効果を提供しているが、各使用者の体型大きさが異なり、ある人の手臀部の長さは、ある人の手臀部の長さより短く、体型が比較的大きいか、又は体型が比較的小さい使用者が使用する時、背もたれ２３及び手部マッサージ器２４（即ち、手すり）の同期移動は、反対に困難を招き、手臀部が比較的長い者に対しては、該手部マッサージ器２４は、正確な位置をマッサージすることができず、マッサージの不快性又はマッサージ損傷を招き、手臀部が比較的短い者に対しては、背もたれ２３の傾斜により、人の手腕部が該手部マッサージ器２４に接触できずにマッサージを失効するか、手臀部に何とか届く程度でマッサージを受け、姿勢が不快適になり、マッサージの心地よさを失わせる。
【先行技術文献】
【特許文献】
【０００８】
【特許文献１】特開２０１１−９１３８４号公報
【考案の概要】
【考案が解決しようとする課題】
【０００９】
これに鑑みて、マッサージ椅子を如何に改善し、掌のマッサージの機能をマッサージ椅子に適用することができるようにし、且つ体型の異なる使用者に対し、掌のマッサージの汎用性を提供し、マッサージ椅子のマッサージ時の快適性、利便性、総合性を向上することは、関連業者が改善を必要とする目標である。
【課題を解決するための手段】
【００１０】
従って、本考案の目的は、掌をマッサージ可能なマッサージ椅子を提供することであり、それは、支持ユニットと、椅子面と、背もたれと、少なくとも１つの手部マッサージユニットと、を含む。
該支持ユニットは、地面上に立ち、２つの手すりを有し、該椅子面は、該支持ユニット上に設置され、該背もたれは、該椅子面の一側に立ち、該支持ユニットと軸回転可能に接合し、該手部マッサージユニットは、該２つの手すりのうちの１つに独立して滑動的に設置される。
【００１１】
本考案は以下の特徴を有する。
（１）地面上に立ち、２つの手すりを有する支持ユニットと、
該２つの手すりのうちの１つ上に独立して滑動的に設置可能な少なくとも１つの手部マッサージユニットであり、該手部マッサージユニットがマッサージ部及び滑動部を有し、該滑動部は、該手すり上に設置され、該マッサージ部が該滑動部上に設置され、中空殻体、及び該殻体中に分離して設置可能であり、且つ外部と掌の接触面に複数の凸粒を形成する複数のバルーンバッグを有する少なくとも１つの手部マッサージユニットと、
該支持ユニット上に設置される椅子面と、
該椅子面の一側に立ち、該支持ユニットと軸回転可能に接合する背もたれと、
を含む掌をマッサージ可能なマッサージ椅子。
（２）前記マッサージ部は、更に、該中空殻体中に分離して設置可能なローラ組を有し、該ローラ組は、間隔を置いて設置され、且つ複数の滑動マッサージ粒を有する複数のローラを有する（１）に記載の掌をマッサージ可能なマッサージ椅子。
（３）前記バルーンバッグ上に電熱片を更に貼付し、通電時に掌に温熱に接触させることができる（２）に記載の掌をマッサージ可能なマッサージ椅子。
（４）前記バルーンバッグは、軟質繊維で覆われ、該繊維は、遠赤外線を放出可能な粉末を有する材質を添加する（３）に記載の掌をマッサージ可能なマッサージ椅子。
（５）前記滑動部は、該手すり上に固定設置される軌道と、該軌道と軸回転可能に接合する底盤と、該底盤上に設置される基台と、を有する（１）に記載の掌をマッサージ可能なマッサージ椅子。
（６）前記底盤上に該軌道と嵌合する複数の転動部材と、該複数の転動部材に転動動力を提供する電源部材と、該基台上に設置され、該電源部材の起動を制御する制御スイッチと、を有する（５）に記載の掌をマッサージ可能なマッサージ椅子。
（７）前記軌道上に間隔を置いて複数の固定孔を設置し、底盤上に該軌道と嵌合する複数の転動部材、及び該基台上に設置され、該固定孔中に制御可能に挿入される干渉部材を有する（５）に記載の掌をマッサージ可能なマッサージ椅子。
（８）前記滑動部は、該手すり中に設置される駆動モータと、該駆動モータの連動回転を受けて直線運動を呈する螺子と、該螺子上に設置される基台と、有する（１）に記載の掌をマッサージ可能なマッサージ椅子。
（９）前記滑動部中に軌道及び底盤は、あり溝を呈する嵌合設計である（１）に記載の掌をマッサージ可能なマッサージ椅子。
【考案の効果】
【００１２】
従って、本考案の効果は、該手部マッサージユニットにより人体の掌、手指等の末梢神経部位のマッサージを提供することができ、一般のマッサージ椅子に比較的良好なリラックス及び血行促進の効果を与え、且つ該手部マッサージユニットを利用し、該手すり上で独立して滑動できるので、身体の大きさが異なる使用者に対し、掌のマッサージの汎用性を提供し、手臀部の長さ又は体型の大きさにより制限を受けず、マッサージ椅子のマッサージ時の快適性、利便性、総合性を向上する。
【図面の簡単な説明】
【００１３】
【図１】従来の台湾の考案第I278310号「椅子式マッサージ機」の各部の構造を説明する側面説明図である。
【図２】従来の台湾の考案第M394742号「マッサージ椅子」の各部の構造を説明する側面説明図である。
【図３】従来の台湾の考案第M394742号「マッサージ椅子」の椅子の背の傾斜時の形態を説明する側面説明図である。
【図４】本考案の掌をマッサージ可能なマッサージ椅子の第１好適実施例の説明図である。
【図５】該第１好適実施例のバルーンバッグの実施形態を説明する局部断面説明図である。
【図６】該第１好適実施例中のローラ組の組成形態を説明する立体説明図である。
【図７】該第１好適実施例中のローラ組及び該バルーンが中空殻体に位置する実施形態を説明する立体説明図である。
【図８】該第１好適実施例中の滑動部の実施形態を説明する立体説明図である。
【図９】該第２好適実施例中の滑動部の実施形態を説明する立体説明図である。
【図１０】該第３好適実施例中の滑動部の実施形態を説明する立体説明図である。
【図１１】該第４好適実施例中の滑動部の実施形態を説明する局部断面説明図である。
【図１２】該第５好適実施例中の滑動部の実施形態を説明する局部断面説明図である。
【考案を実施するための形態】
【００１４】
本考案の特色及び技術内容について、以下に参考図面を合わせた５つの好適実施例の詳細説明において、明確に呈現することができる。
【００１５】
また、注意すべき点として、詳細な説明を行う前に、類似する部材は、同一の符号で表示する。
【００１６】
第１好適実施例
図４、図５を参照し、それは、本考案の掌をマッサージ可能なマッサージ椅子の第１好適実施例であり、それは、支持ユニット３、椅子面４、背もたれ５、及び２つの手部マッサージユニット６を含む。
【００１７】
該支持ユニット３は、地面上に立ち、２つの人の手を安置できる手すり３１を有し、該椅子面４は、該支持ユニット３上に設置され、人体の臀部を座らせることができ、該背もたれ５は、該椅子面４の一側に立ち、該支持ユニット３と軸回転可能に接合し、該人体背部を寄りかからせることに用い、該２つの手部マッサージユニット６は、それぞれ該２つの手すり３１上に設置され、人体の掌を安置させ、該手すり３１に独立して対応した滑動を行うことができる。
【００１８】
該第１好適実施例において、該手部マッサージユニット６は、マッサージ部６１及び滑動部６２を有し、該滑動部６２は、該手すり３１上に設置され、該手すり３１に相対して滑動でき、該マッサージ部６１は、該滑動部６２上に設置され、中空殻体６１１、及び複数の該中空殻体６１１中に分離して設置できるバルーンバッグ６１２を有する。
【００１９】
該バルーンバッグ６１２は、圧縮空気供給装置７から空気を管路７１に経過させ、該バルーンバッグ６１２に供給し、該バルーンバッグ６１２を膨張、収縮させ、人体の掌、手指に対し、マッサージを行う。同時に、異なるバルーンバッグ６１２に対し、異なる気体充填及び気体漏出の速度を与えることによって、実際の人の手を模倣し、使用者の手部に対し、マッサージを行う。
【００２０】
提示すべきことは、該バルーンバッグ６１２外部及び人体の掌の接触面に複数の凸粒６１３を形成し、人体の末梢神経に対する刺激を強化することができ、且つ該バルーンバッグ６１２上に電熱片６１を更に貼付し、通電時に掌の接触温熱の感受を提供することができる。
【００２１】
実際の実施時、該バルーンバッグ６１２の数量は、４個であり、そのうち、２つのバルーンバッグ６１２は、該中空殻体６１１の上部に位置し、掌背部に対するマッサージを提供し、他の２つのバルーンバッグ６１２は、該中空殻体６１１の底部に位置し、その上に複数の凸粒６１３を形成し、掌の中心に対するマッサージを提供することができ、該バルーンバッグ６１２の設置が多いほど、より実際の人の手に似た使用者の掌に対するマッサージを提供することができ、当然ながら、その実施数量は、より多くあることができ、これに制限するものではない。
【００２２】
第１好適実施例において、該電熱片６１４上に更に一層の軟質繊維層を覆い、電熱片６１４及び人の手の直接の接触を隔離することに用い、該繊維の添加は、遠赤外線を放出可能な粉末の材質を添加する。上記構造設計を介し、寒冷な季節に人体の掌の健康、温暖、快適なマッサージの享受を提供することができる。
【００２３】
遠赤外線は、光波の波長であり、学者専門家の測定を経て、概ね0.76〜4μmが近赤外線であり、4〜400μmが遠赤外線であると分けることができる。日本の多くの医学博士の臨床実験を経て、生物化学遠赤外線及び人体の波長8-12μmと相似し、人体と共鳴を発生し易く、皮膚骨髄が2-4cmに深く達することができ、温熱、マッサージ、血液循環の促進、細胞の活性化等の機能を具え、動植物が不可欠な光線である。
【００２４】
図６、図７を合わせて参照し、本考案のマッサージ部６１は、更に該中空殻体６１１中に分離して設置可能なローラ組６１５を有し、該ローラ組６１５は、間隔を置いて設置され、且つ表面に複数の滑動マッサージ粒６１７を具える２つのローラ６１６を有する。各ローラ６１６は、何れも時計回り又は反時計回りの回転の自動制御を受けることができ、人体の掌を該中空殻体６１１中に安置する時、該ローラ組６１５は、回転を開始するよう制御を受けることができ、該ローラ６１６上に位置する複数の滑動のマッサージ粒６１７が掌にマッサージ効果をもたらし、該複数のマッサージ粒６１７は、該ローラ６１６の回転に相対することができるので、掌と該２つのローラ６１６と接触する摩擦力が大き過ぎ、回転する機械部材が損壊し易くなるということがない。
【００２５】
実際の実施時、先ず、該中空殻体６１１に位置する底部のバルーンバッグ６１２を取り除き、該ローラ組６１５を該中空殻体６１１に安置し、該第１好適実施例のローラ組６１５は、２つのローラ６１６を有し、当然ながら、その実施数量は、より多くあることができ、これに制限するものではない。
【００２６】
ここで、注意すべきことは、該ローラ６１６内部は、それぞれ内部モータ（図示せず）を設け、それを連動し、ローラ６１６の軸心を軸回転可能に接合する方式で回転させ、当然ながら、連結部材（例えば、トラックレイヤ、図示せず）により該２つのローラ６１６を連結することができ、同時に該連結部材（図示せず）は、外部モータ（図示せず）の連動を経て、該ローラ６１６を駆動し、軸心を軸回転可能に接合する方式で回転する。該ローラ６１６の回転の方式は、多くあるので、ここでは、一つ一つ記載しない。
【００２７】
図４、図５、図８を参照し、該第１好適実施例において、該滑動部６２は、該手すり３１上に固定設置され、所定の工程を有する軌道６２１と、該軌道６２１と軸回転可能に接合する底盤６２２と、該底盤６２２上に設置される基台６２３と、を含む。該底盤６２２上に該軌道６２１と嵌合する複数の転動部材６２４と、該複数の転動部材６２４が回転時に必要な動力を提供する電源部材６２５と、該基台６２３上に設置され、該電源部材６２５のオン、オフを制御する制御スイッチ６２６と、を具える。
【００２８】
該制御スイッチ６２６を介し、該複数の転動部材６２４が行う前後方向の転動を制御することができ、これにより該滑動部６２の該手すり３１上における位置を調整し、体型の大きさの異なる使用者に対し、マッサージ椅子上の掌マッサージの汎用性を提供することができ、手臀部の長さ又は身体の大きさで制限を受けることがない。
【００２９】
手臀部が比較的短い使用者が該椅子面４に座り、且つ背部が該背もたれに寄りかかる時、該滑動部６２の該手すり３１上の位置を調整するだけで、該背もたれ５の傾斜角度を受け、掌を該中空殻体６１１内に安置し、マッサージを行うことができないということがなく、相対して、掌が比較的長い使用者が該椅子面４に座り、背部が該背もたれ５に寄りかかる時、該滑動部６２の該手すり３１上の位置を調整するだけで、手臀部を最適な位置に安置し、掌にマッサージを行うことができ、マッサージ時の快適性及び利便性を確実に向上することができる。
【００３０】
第２好適実施例
図４、図９を参照し、それは、本考案の掌をマッサージ可能なマッサージ椅子の第２好適実施例であり、該第２好適実施例は、第１好適実施例と略同一であり、同様に支持ユニット３、椅子面４、背もたれ５、及び２つの手部マッサージユニット６を含む。同一の部分は、ここでは再度記載せず、異なる箇所は、該軌道６２１上に複数の固定孔６２７を間隔を置いて設置し、底盤上に複数の該軌道６２１と嵌合する転動部材６２４を有し、該基板６２３上には、該固定孔６２７中に制御可能に挿入される干渉部材を設置することにある。
【００３１】
該第２好適実施例は、該干渉部材６２８が該固定孔６２７中に伸入するよう制御し、該滑動部６２の該手すり３１上の位置に定位することができ、該滑動部６２を移動する為、該滑動部６２を移動する為に別途電力駆動を消費する必要がなく、該滑動部６２を移動したい時、該干渉部材６２の上端を押圧し、該干渉部材６２８を該固定孔６２７から離脱させ、定位したい時、押圧を開放するだけでよく、該干渉部材６２８は、該固定孔６２７中に伸入し、該滑動部６２の該手すり３１上の定位効果を達成する。
【００３２】
第３好適実施例
図４、図１０を参照し、これは、本考案の掌をマッサージ可能なマッサージ椅子の第３好適実施例であり、該第３好適実施例は、同様に支持ユニット３、椅子面４、背もたれ５、及び２つの手部マッサージユニット６を含む。同一の部分は、ここでは再度記載せず、異なる箇所は、該滑動部６２は、該手すり３１中に設置する駆動モータ６２１０と、該駆動モータ６２１０の連動回転を受ける螺子６２１１と、該螺子６２１１上に被せ設ける基台６２３と、を有することにある。
【００３３】
該駆動モータ６２１０は、該螺子６２１１の回転を駆動し、該螺子６２１１上に被せ設けた基台６２３に直線方式の前後移動を呈することができ、これにより、該滑動部６２の該手すり３１上の位置を定位する他の実施方式を提供する。
【００３４】
図４、図１１を参照し、それは、本考案の掌をマッサージ可能なマッサージ椅子の第４好適実施例であり、該第４好適実施例は、該第１好適実施例に略同一であり、同様に支持ユニット３、椅子面４、背もたれ５、及び２つの手部マッサージユニット６を含む。同一の部分は、ここでは再度記載せず、異なる箇所は、該滑動部６２中の軌道６２１及び底盤６２２があり溝を呈する嵌合設計であることにある。
【００３５】
該軌道６２１及び底盤６２２の相互に嵌合する設計により、同様に、該基台６２３を該軌道６２１中で前後に移動させることができ、第１好適実施例と異なる該滑動部６２を該手すり３１上で滑動させる実施方式を提供する。
【００３６】
図４、図５、図１２を参照し、それは、本考案の掌をマッサージ可能なマッサージ椅子の第５好適実施例であり、該第５好適実施例は、該第１好適実施例に略同一であり、同様に支持ユニット３、椅子面４、背もたれ５、及び２つの手部マッサージユニット６を含む。同一の部分は、ここでは再度記載せず、異なる箇所は、該滑動部６２中の軌道６２１が両側に連続する凹弧状を呈し、該底盤６２２は、両側にボールばねを有し、該軌道６２１上に嵌合接合する設計方式を呈することにある。該底盤６２２が該軌道６２１上に嵌合する時、該軌道６２１の両側の連続弧状の設計を利用し、該底盤６２２両側のボールばねを該軌道６２１上に凸伸定位させることができ、使用者が該滑動部６２の該手すり３１上の位置を変化させたい時、前向き又は後ろ向き押圧するだけで、該底盤６２２両側のボールばねの外向きに凸伸する弾力を克服し、該軌道６２１の外形の位置の限定を利用し、該ボールばねを内縮して該滑動部６２に該軌道６２１上で位置を変化させる。使用者が該滑動部６２を押圧しなくなった時、該底盤６２２両側のボールばねが弾性回復力を受けて外向きに凸伸し、この時、再度該軌道６２１上に定位することができる。
【００３７】
上記を総合し、本考案は、該マッサージ部６１が該滑動部６２上に設置され、中空殻体、及び該中空殻体６１１中に設置される複数のバルーンバッグ６１２を有することにより、異なるバルーンバッグ６１２に対し、異なる気体充填及び漏出の速度を与え、実際の人の手を模倣することにより使用者の手部に対しマッサージを行う。該滑動部６２は、該手すり３１上の滑動的に位置を変換することができ、体型の大きさが異なる使用者に対し、マッサージ椅子上で掌のマッサージの汎用性を提供し、手の臀部の長さ又は体型の大きさにより制限を受けることがない。同時に、本考案は、該バルーンバッグ６２１外部及び掌の接触面において、複数の凸粒６１３を形成し、且つ該バルーンバッグ６１２上に更に、電熱片６１４を貼付し、その上に、更に一層の軟質繊維層が覆い、電熱片６１４と人の手の直接の接触を隔離することに用い、該軟質繊維層の繊維は、遠赤外線を放出可能な粉末を有する材質を添加する。上記構造設計を介し、寒冷な季節に人体の掌の健康、温暖、快適なマッサージの享受を提供することができ、本考案の目的を確実に達成することができる。
【００３８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３９】
３  支持ユニット
３１  手すり
４  椅子面
５  椅子の背
６  手部マッサージユニット
６１  マッサージ部
６１１  中空殻体
６１２  バルーンバッグ
６１３  凸粒
６１４  電熱片
６１５  ローラ組
６１６  ローラ
６１７  滑動マッサージ粒
６２  滑動部
６２１０  駆動モータ
６２１１  螺子
６２１  軌道
６２２  底盤
６２３  基台
６２４  転動部材
６２５  電源部材
６２６  制御スイッチ
６２７  固定孔
６２８  干渉部材
７  空気供給装置
７１  管路
【図１】
0003175290.tif 000003
【図２】
0003175290.tif 000004
【図３】
0003175290.tif 000005
【図４】
0003175290.tif 000006
【図５】
0003175290.tif 000007
【図６】
0003175290.tif 000008
【図７】
0003175290.tif 000009
【図８】
0003175290.tif 000010
【図９】
0003175290.tif 000011
【図１０】
0003175290.tif 000012
【図１１】
0003175290.tif 000013
【図１２】
0003175290.tif 000014
【手続補正書】
【提出日】平成24年2月29日(2012.2.29)
【手続補正１】
【補正対象書類名】実用新案登録請求の範囲
【補正対象項目名】請求項１
【補正方法】変更
【補正の内容】
【請求項１】
地面上に立ち、２つの手すりを有する支持ユニットと、
該２つの手すりのうちの１つ上に独立して滑動的に設置可能な少なくとも１つの手部マッサージユニットと、
該支持ユニット上に設置される椅子面と、
該椅子面の一側に立ち、該支持ユニットと軸回転可能に接合する背もたれと、
を含む掌をマッサージ可能なマッサージ椅子であって、
該手部マッサージユニットがマッサージ部及び滑動部を有し、
該滑動部は、該手すり上に設置され、
該マッサージ部は該滑動部上に設置され、
該マッサージ部は、人体の掌を中に安置するための中空殻体を有し、
さらに、該マッサージ部は、前記中空殻体中に、外部と掌の接触面に複数の凸粒を形成する複数のバルーンバッグを分離して設置している、
ことを特徴とする、
掌をマッサージ可能なマッサージ椅子。
【手続補正２】
【補正対象書類名】実用新案登録請求の範囲
【補正対象項目名】請求項２
【補正方法】変更
【補正の内容】
【請求項２】
前記マッサージ部は、更に、該中空殻体中に分離して設置可能なローラ組を有し、
該ローラ組は、間隔を置いて設置され、
且つ、ローラ上にて回転される複数の滑動マッサージ粒を有する複数のローラを有する請求項１に記載の掌をマッサージ可能なマッサージ椅子。
【手続補正３】
【補正対象書類名】実用新案登録請求の範囲
【補正対象項目名】請求項５
【補正方法】変更
【補正の内容】
【請求項５】
前記滑動部は、該手すり上に平行に固定設置される２本の軌道と、
該軌道と嵌合し、軌道に沿って前後方向に転動する複数の転動部材と、
該転動部材を介して２本の軌道間に設置される底盤と、
該底盤上に設置される基台と、を有する請求項１に記載の掌をマッサージ可能なマッサージ椅子。
【手続補正４】
【補正対象書類名】実用新案登録請求の範囲
【補正対象項目名】請求項９
【補正方法】変更
【補正の内容】
【請求項９】
前記滑動部中の軌道及び底盤は、あり溝であることを特徴とする、請求項１に記載の掌をマッサージ可能なマッサージ椅子。